(57)【要約】 【課題】本発明は、料金表示機構を備えたコンセント及びスイッチパネルに関する発明である。【解決手段】本発明は、上記の課題を解決するために、複数のプラグ差込孔及び料金表示機構を備えたことを特徴とする料金表示機構付コンセント及び料金表示機構が、赤外線センサーと金額を表示する表示板と前記表示板の金額を切り替える切り替えボタンと前記表示板の金額をリセットするためのリセットボタンからなることを特徴とする料金表示機構付コンセントの構成とした。【選択図】  図１ 
2005340039.tif 000002
【特許請求の範囲】
【請求項１】
複数のプラグ差込孔及び料金表示機構を備えたことを特徴とする料金表示機構付コンセント。
【請求項２】
料金表示機構が、赤外線センサーと金額を表示する表示板と前記表示板の金額を切り替える切り替えボタンと前記表示板の金額をリセットするためのリセットボタンからなることを特徴とする請求項１に記載の料金表示機構付コンセント。
【請求項３】
携帯電話から送信する赤外線により料金表示機構の表示金額の切り替え及びリセットできるようにしたことを特徴とする請求項１又は請求項２に記載の料金表示機構付コンセント。
【請求項４】
料金表示機構に表示された料金を音声で知らせるようにしたことを特徴とする請求項１、請求項２又は請求項３に記載の料金表示機構付コンセント。
【請求項５】
スイッチ及び料金表示機構を備えたことを特徴とする料金表示機構付スイッチパネル。
【請求項６】
表示された料金を音声で知らせるようにしたことを特徴とする請求項５記載の料金表示機構付スイッチパネル。
【発明の詳細な説明】
【技術分野】
【０００１】
本発明は、料金表示機構を備えたコンセント及びスイッチパネルに関する発明である。
【背景技術】
【０００２】
従来のコンセントは壁の備え付けコンセントに差込み同時に使用できる差込孔を増やすもので、従来のスイッチパネルは電力のオンオフをするものであった。
【０００３】
しかしながら、従来のコンセント及びスイッチパネルでは、使用している電気料金を知ることができず無駄な電気を使用していた。
【発明の開示】
【発明が解決しようとする課題】
【０００４】
そこで、本発明は、コンセント又はスイッチパネルに料金表示機構を付けることで、個々の電気使用料金を確認することができ、利用者に節電意識を与える料金表示機構及びその機構を備えたコンセント及びスイッチパネルを提供することを目的とするものである。
【課題を解決するための手段】
【０００５】
本発明は、上記の課題を解決するために、複数のプラグ差込孔及び料金表示機構を備えたことを特徴とする料金表示機構付コンセント及び料金表示機構が、赤外線センサーと金額を表示する表示板と前記表示板の金額を切り替える切り替えボタンと前記表示板の金額をリセットするためのリセットボタンからなることを特徴とする料金表示機構付コンセントの構成とした。
【発明の効果】
【０００６】
本発明の料金表示機構及びその機構を備えたコンセント及びスイッチパネルは各家電毎又は各部屋毎の使用電気料金が表示または音声により知ることができるため、節電の意識を高めることができる。
【発明を実施するための最良の形態】
【０００７】
節電意識を与えるという目的を、コンセント又はスイッチパネルに料金表示機構を設けることによって実現した。
【実施例１】
【０００８】
図１は本発明である料金表示機構及びその機構を備えたコンセント及びスイッチパネルの料金表示機構付コンセントの斜視図、図２は料金表示機構付コンセントの平面図、図３は料金表示機構付コンセントの背面図、図４は料金表示機構付コンセントの使用状態を示した図である。
【０００９】
図１及び図２に示すように本発明である料金表示機構及びその機構を備えたコンセント及びスイッチパネルの料金表示機構１は赤外線センサー１ｂを備えた使用料金を表示する表示板１ａと表示板１ａの表示を切り替える切り替えボタン１ｃと表示板１ａの表示内容をリセットするリセットボタン１ｄとからなる。
【００１０】
料金表示機構付コンセント２は、複数のプラグ差込孔２ｂ、２ｃ、２ｄ、２ｅと前記料金表示機構１を備えたコンセント本体２ａとからなる。前記コンセント本体２ａは、台形上に形成されていて、上面と下面は略長方形状をしており、上面よりも下面のほうが面積が大きい。
【００１１】
図２に示すように、コンセント本体２ａの上面及び三側面にはプラグ差込孔２ｂ、２ｃ、２ｄ、２ｅが設けられており、上面には前記料金表示機構１が設けられている。また図３に示すようにコンセント本体２ａの底面裏側にはプラグ２ｆが設けられている。
【００１２】
図４に示すように、前記料金表示機構１は携帯電話３の赤外線３ａによって操作することが可能である。即ち、携帯電話３の赤外線３ａを使用して表示料金１ｅの切り替え及び表示料金１ｅのリセットをすることが可能である。
【００１３】
料金１ｅは各プラグ差込孔２ｂ、２ｃ、２ｄ、２ｅ毎の使用料金を表示、全ての使用料金の合算の表示が可能である。この料金１ｅの切り替えは前記切り替えボタン１ｃまたは携帯電話３の赤外線３ａで操作することができる。
【実施例２】
【００１４】
図５は本発明である料金表示機構及びその機構を備えたコンセント及びスイッチパネルの料金表示機構付スイッチパネルの正面図である。図５に示すように、料金表示機構付スイッチパネル４は、スイッチ４ｂと前記料金表示機構１を備えたスイッチパネル本体４ａからなる。
【００１５】
前記スイッチ４ｂの下の設けられた料金表示機構１には使用している電気の料金１ｅを表示することができ、切り替えボタン１ｃにより表示内容の変更、リセットボタン１ｄにより表示内容のリセットを行うことができ、この操作は携帯電話３の赤外線３ａと赤外線センサー１ｂを使用して操作することもできる。
【実施例３】
【００１６】
図６は本発明である料金表示機構及びその機構を備えたコンセント及びスイッチパネルの料金表示機構付コンセントの第２実施例の正面図、図７は料金表示機構付コンセントの第２実施例の背面図、図８は料金表示機構付コンセントの第２実施例の使用状態を示した図、図９は料金表示機構付コンセントの第２実施例の使用状態の側面図である。
【００１７】
図６に示すように、料金表示機構付コンセント５は、プラグ差込孔５ｂと前記料金表示機構１を備えた薄いプレート状のコンセント本体５ａからなる。コンセント本体５ａの膨張部５ｃが形成されていて、膨張部５ｃに料金表示機構１が設けてある。これは料金の表示を見やすくするためである。
【００１８】
図６、図７、図８及び図９に示すように、プラグ差込孔５ｂは、コンセント本体５ａの正面から背面にかけて貫通しており、使用する家電のプラグ６と備え付けコンセント７の間に挟んで使用する。
【００１９】
図９の使用状態の側面図に示すように、プラグ６ｂを料金表示機構付コンセント５のプラグ差込孔５ｂに差込み、そのまま壁７ｂに備え付けてある備え付けコンセント７に差し込んで使用する。尚、符号７ｃは壁７ｂ内の電気板を示しており、符号６ａはコードを示している。尚、符号７ａはプラグ差込孔を示している。
【実施例４】
【００２０】
図１０は本発明である料金表示機構及びその機構を備えたコンセント及びスイッチパネルの料金表示機構付スイッチパネルの第２実施例の正面図である。図１０に示すように料金表示機構付スイッチパネル８はスイッチ８ｂと前記料金表示機構１とスピーカー８ｃを備えたスイッチパネル本体８ａからなり、前記料金表示機構付スイッチパネル４にスピーカー８ｃを設けたものである。
【実施例５】
【００２１】
図１１は本発明である料金表示機構及びその機構を備えたコンセント及びスイッチパネルの料金表示機構付スイッチパネルの第３実施例の正面図である。
【００２２】
図１１に示すように、料金表示機構付コンセント９はプラグ差込孔９ｂと前記料金表示機構１とスピーカー９ｃを備えたコンセント本体９ａからなり、前記料金表示機構付コンセント５にスピーカー９ｃを設けたものである。
【図面の簡単な説明】
【００２３】
【図１】本発明である料金表示機構及びその機構を備えたコンセント及びスイッチパネルの料金表示機構付コンセントの斜視図である。
【図２】本発明である料金表示機構及びその機構を備えたコンセント及びスイッチパネルの料金表示機構付コンセントの平面図である。
【図３】本発明である料金表示機構及びその機構を備えたコンセント及びスイッチパネルの料金表示機構付コンセントの背面図である。
【図４】本発明である料金表示機構及びその機構を備えたコンセント及びスイッチパネルの料金表示機構付コンセントの使用状態を示した図である。
【図５】本発明である料金表示機構及びその機構を備えたコンセント及びスイッチパネルの料金表示機構付スイッチパネルの正面図である。
【図６】本発明である料金表示機構及びその機構を備えたコンセント及びスイッチパネルの料金表示機構付コンセントの第２実施例の正面図である。
【図７】本発明である料金表示機構及びその機構を備えたコンセント及びスイッチパネルの料金表示機構付コンセントの第２実施例の背面図である。
【図８】本発明である料金表示機構及びその機構を備えたコンセント及びスイッチパネルの料金表示機構付コンセントの第２実施例の使用状態を示した図である。
【図９】本発明である料金表示機構及びその機構を備えたコンセント及びスイッチパネルの料金表示機構付コンセントの第２実施例の使用状態の側面図である。
【図１０】本発明である料金表示機構及びその機構を備えたコンセント及びスイッチパネルの料金表示機構付スイッチパネルの第２実施例の正面図である。
【図１１】本発明である料金表示機構及びその機構を備えたコンセント及びスイッチパネルの料金表示機構付スイッチパネルの第３実施例の正面図である。
【符号の説明】
【００２４】
１      料金表示機構
１ａ    表示板
１ｂ    赤外線センサー
１ｃ    切り替えボタン
１ｄ    リセットボタン
１ｅ    料金
２      料金表示機構付コンセント
２ａ    コンセント本体
２ｂ    プラグ差込孔
２ｃ    プラグ差込孔
２ｄ    プラグ差込孔
２ｅ    プラグ差込孔
２ｆ    プラグ
３      携帯電話
３ａ    赤外線
４      料金表示機構付スイッチパネル
４ａ    スイッチパネル本体
４ｂ    スイッチ
５      料金表示機構付コンセント
５ａ    コンセント本体
５ｂ    プラグ差込孔
５ｃ    膨張部
６      プラグ
６ａ    コード
６ｂ    プラグ
７      備え付けコンセント
７ａ    プラグ差込孔
７ｂ    壁
７ｃ    電気板
８      料金表示機構付スイッチパネル
８ａ    スイッチパネル本体
８ｂ    スイッチ
８ｃ    スピーカー
９      料金表示機構付コンセント
９ａ    コンセント本体
９ｂ    プラグ差込孔
９ｃ    スピーカー
【図１】
2005340039.tif 000003
【図２】
2005340039.tif 000004
【図３】
2005340039.tif 000005
【図４】
2005340039.tif 000006
【図５】
2005340039.tif 000007
【図６】
2005340039.tif 000008
【図７】
2005340039.tif 000009
【図８】
2005340039.tif 000010
【図９】
2005340039.tif 000011
【図１０】
2005340039.tif 000012
【図１１】
2005340039.tif 000013